(57)【特許請求の範囲】
【請求項１】
本体が略直方体形状であって、その長手方向が高さに対応する撮像装置において、
前記撮像装置本体の側面に配置され、撮像画像を表示する略矩形の表示手段と、
前記表示手段の長手方向と前記撮像装置本体の長手方向とが略平行に位置する状態において、入射光軸と略平行な第１の軸を中心として前記表示手段を回動可能とする第１の部材と、
前記第１の部材によって前記表示手段の長手方向と前記撮像装置本体の長手方向とが略平行に位置する状態から略９０度回転した状態において、前記入射光軸と垂直な第２の軸を中心として前記表示手段を回動可能とする第２の部材とを備え、
前記第２の部材は、前記表示手段に設けられた、前記第２の軸を中心に前記表示手段を回動させるための回動部材と、前記撮像装置本体の長手方向と前記表示手段の短手方向とが一致している状態で、前記表示手段の側面に沿って、前記表示手段の短手方向にスライドするスライド部材とを有し、前記表示手段は、前記スライド部材がスライドするように設けられたガイド部材を有することを特徴とする撮像装置。
【請求項２】
本体が略直方体形状であって、その長手方向が高さに対応する撮像装置において、
前記撮像装置本体の側面に配置され、撮像画像を表示する略矩形の表示手段と、
前記表示手段の長手方向と前記撮像装置本体の長手方向とが略平行に位置する状態において、入射光軸と略平行な第１の軸を中心として前記表示手段を回動可能とする第１の部材と、
前記第１の部材によって前記表示手段の長手方向と前記撮像装置本体の長手方向とが略平行に位置する状態から略９０度回転した状態において、前記入射光軸と垂直な第２の軸を中心として前記表示手段を回動可能とする第２の部材と、
前記表示手段の長手方向と前記撮像装置本体の長手方向とが略平行に位置する状態を検知する検知手段とを備え、前記検知手段によって前記表示手段の長手方向と前記撮像装置本体の長手方向とが略平行に位置する状態が検知された場合、前記表示手段の短手方向を水平面として画像を表示させ、前記検知手段によって前記表示手段の長手方向と前記撮像装置本体の長手方向とが略平行に位置する状態が検知されなかった場合、前記表示手段の長手方向を水平面として画像を表示させる制御手段とを備えることを特徴とする撮像装置。
【発明の詳細な説明】
【０００１】
【発明の属する技術分野】
本発明は、例えば、動画を撮影するビデオカメラあるいは静止画を撮影する電子スチルカメラなどの撮像装置に関するものである。
【０００２】
【従来の技術】
従来、図８に示すように、動画を撮影するビデオカメラあるいは静止画を撮影する電子スチルカメラにおいて、撮影画像を確認するために、ＬＣＤ（Liquid Crystal Display）などの表示部が備えられている。また、最近では、図９に示すように、撮像装置本体を把持しやすいなどの操作性のよさから高さ方向に長い略直方体の形状を有する撮像装置が普及している。
【０００３】
【発明が解決しようとする課題】
しかしながら、一般的に画像のサイズは縦横比が３：４あるいは９：１６の横長の形状を有するため、図９に示す縦長の形を有するカメラに表示装置を搭載しようとすると、カメラ本体の横幅がないことから表示画面の大きさに制約を受けていた。
【０００４】
本発明では、撮像装置の表示部の表示画面の大型化を実現し、撮像装置の使用状況に応じた画像表示を行うことによって適切な画像の確認を可能とする撮像装置を提供することを目的とする。
【０００５】
【課題を解決するための手段】
上述した目的を達成するために、本発明の撮像装置は、本体が略直方体形状であって、その長手方向が高さに対応する撮像装置において、前記撮像装置本体の側面に配置され、撮像画像を表示する略矩形の表示手段と、前記表示手段の長手方向と前記撮像装置本体の長手方向とが略平行に位置する状態において、入射光軸と略平行な第１の軸を中心として前記表示手段を回動可能とする第１の部材と、前記第１の部材によって前記表示手段の長手方向と前記撮像装置本体の長手方向とが略平行に位置する状態から略９０度回転した状態において、前記入射光軸と垂直な第２の軸を中心として前記表示手段を回動可能とする第２の部材とを備え、前記第２の部材は、前記表示手段に設けられた、前記第２の軸を中心に前記表示手段を回動させるための回動部材と、前記撮像装置本体の長手方向と前記表示手段の短手方向とが一致している状態で、前記表示手段の側面に沿って、前記表示手段の前記短手方向にスライドするスライド部材とを有し、前記表示手段は、前記スライド部材がスライドするように設けられたガイド部材を有することを特徴とする。
【０００６】
また、本発明の撮像装置は、本体が略直方体形状であって、その長手方向が高さに対応する撮像装置において、前記撮像装置本体の側面に配置され、撮像画像を表示する略矩形の表示手段と、
前記表示手段の長手方向と前記撮像装置本体の長手方向とが略平行に位置する状態において、入射光軸と略平行な第１の軸を中心として前記表示手段を回動可能とする第１の部材と、前記第１の部材によって前記表示手段の長手方向と前記撮像装置本体の長手方向とが略平行に位置する状態から略９０度回転した状態において、前記入射光軸と垂直な第２の軸を中心として前記表示手段を回動可能とする第２の部材と、前記表示手段の長手方向と前記撮像装置本体の長手方向とが略平行に位置する状態を検知する検知手段とを備え、前記検知手段によって前記表示手段の長手方向と前記撮像装置本体の長手方向とが略平行に位置する状態が検知された場合、前記表示手段の短手方向を水平面として画像を表示させ、前記検知手段によって前記表示手段の長手方向と前記撮像装置本体の長手方向とが略平行に位置する状態が検知されなかった場合、前記表示手段の長手方向を水平面として画像を表示させる制御手段とを備えることを特徴とする。
【０００９】
【発明の実施の形態】
以下、添付の図面に沿って本発明の実施の形態を説明する。
【００１０】
（第１の実施の形態）
図１は、本実施の形態の撮像装置の斜視図であり、ＬＣＤなどの表示画面を有する表示部７を収納したときの図を示している。また、図２および図３は、本実施の形態の撮像装置の斜視図であり、表示部７の使用状態を示している。図１〜図３に示すように、本実施の形態の撮像装置は、高さ方向（水平面に対して垂直方向）に長い略直方体の形状を有している。
【００１１】
図４は本実施の形態の撮像装置のブロック図である。図４において、レンズ部１は、上述したように被写体像を入光するためのものであり、撮像素子２は、レンズ部１から入光した被写体像を光電変換する。制御部８は、ＣＰＵ等によって構成され、撮像装置全体を統括制御する。カメラ信号処理部３は、撮像素子からの出力信号をマトリクス処理を行うことによって輝度信号および色差信号を生成し、ガンマ処理、Ａ／Ｄ変換などの処理が行われる。
【００１２】
画像記憶部４は、カメラ信号処理部３によって処理された信号を記憶するものであり、磁気テープあるいは半導体メモリなどによって構成される。表示部７は、上述したようにＬＣＤ等によって構成される略矩形の表示画面を有し、撮像素子２によって撮像された画像、あるいは画像記憶部４によって記憶された画像が表示される。また、表示信号生成部５は、カメラ信号処理部３あるいは画像記憶部４からの信号を所定のフォーマットに変換して表示部７に画像を表示させるための信号を生成する。表示駆動部６は、表示信号生成部５によって生成された信号に基づく画像を表示部７上に表示させる。
【００１３】
検出ＳＷ９は、表示部７が後述の図７に示すような状態であるかどうかを検出するためのスイッチであり、表示部７のヒンジ部１０およびヒンジ部１１による回転角を検出する。
【００１４】
図１〜図３において、ヒンジ部１０は、レンズ部１の入射光軸と略平行な軸Ｘを中心として回動可能であり、図１の状態から軸Ｘを中心として略９０度回動させると図２に示すような状態となる。また、図２において、ヒンジ部１１は、レンズ部１の入射光軸と略垂直（軸Ｘに対しても略垂直である）な軸Ｙを中心として回動可能である。また、図２の状態から表示部７を垂直方向にスライドさせることによって図３の状態となる。図３の状態において、撮影者は表示部７が設置される反対側の側面を把持することによって安定した撮影を行うことができる。また、表示部７の表示画面の長手方向とビデオカメラ本体の長手方向とが略平行となって収納できるため、大型の表示画面を有する表示部７を搭載することができる。
【００１５】
ここで、図５および図６を用いてヒンジ部１１の構造について説明する。
【００１６】
図５は、表示部７が図２に示した位置のときのヒンジ部１１の拡大図である。軸Ｙを中心として回動可能なヒンジ部１１は、スライド部材１１ａおよび回動部材１１ｂによって構成されている。スライド部材１１ａは、撮像装置本体に固定され、表示部７のガイド部材７ａに対しスライド可能となっており、撮像装置本体と表示部７とを接続している。回動部材５ｂは、表示部７の短手方向の側面の中央部に位置しており、図２に示すようにスライド部材１１ａと回動部材１１ｂとが嵌合して一体となった場合に軸Ｙを中心として表示部７を回動させることができる。
【００１７】
図６は、表示部７が図３に示した位置のときのヒンジ部１１の拡大図である。図６において、スライド部材１１ａと回動部材１１ｂとが分離しており、スライド部材１１ａはガイド部材７ａの他端面まで移動している。このとき、撮像装置本体と表示部７との接続部分にはスライド部材１１ａのみであるので、表示部７は回動しない。すなわち、図３に示すような画像の撮像に適した状態では、Ｙ軸方向に表示部７が回動することなく固定されているため、常に安定した状態で撮像画像を確認しながら撮像することができる。また、図６の状態では、図３に示すように表示部７と被写体光を入光するためのレンズ部１との位置が近いため、光軸ずれが改善され、適切な撮影を実行することができる。また、地面に置いたり、三脚などに固定したりすることができる。
【００１８】
図７は、表示部７を図１に示すような状態からヒンジ部１１を用いて１８０度回転させて表示画面を外側に向けたときを示した図である。この状態は画像記憶部４によって記憶された画像を再生表示する場合に適している。検出スイッチ９がＯＮであることによって表示部７が図７の状態であることが検知されると、制御部８は表示信号生成部５に対して、図７に示すように、表示部７の表示画面上の画像の表示を、図３などにおいて表示される通常の表示状態（画像の水平面が表示画面の長手方向に対応して表示される表示状態）から９０度回転させ（水平走査方向と垂直走査方法とが逆転させ）、さらに縮小して表示させる命令を行う。
【００１９】
一方、表示部７が図３のような状態であるとき、すなわち、検出スイッチ９がＯＦＦであるとき、制御部８は、表示信号生成部５に対して通常の表示（画像の水平面が表示画面の長手方向に対応して表示される表示状態）を行うように命令を行う。
【００２０】
このように、表示部７が図７の状態において画像の表示を行う場合、撮像装置本体の正立状態の水平方向に合わせて画像を表示しているので、見苦しくない。
【００２１】
なお本実施の形態において、表示手段は表示部７に対応する。また、第１の部材はヒンジ１０に対応する。また、第２の部材はヒンジ１１に対応する。また、制御手段は、制御部８に対応する。
【００２２】
【発明の効果】
以上説明したように、本願発明によれば、高さ方向に長い形状の撮像装置においても大型の表示部を搭載することができる。また、撮像を行うには表示部を固定することができ、さらに光軸ずれを改善することによって適切な撮像を実行可能な撮像装置を提供することができる。
【図面の簡単な説明】
【図１】本願発明の実施の形態の撮像装置本体に表示部が収納されている状態の一例を示す図。
【図２】本願発明の実施の形態の撮像装置本体に表示部の使用状態の一例を示す図。
【図３】本願発明の実施の形態の撮像装置本体に表示部の使用状態の一例を示す図。
【図４】本願発明の実施形態の撮像装置の構成の一例を示すブロック図。
【図５】ヒンジ部１１付近の拡大図。
【図６】ヒンジ部１１付近の拡大図。
【図７】本願発明の実施の形態の撮像装置本体に表示部の使用状態の一例を示す図。
【図８】従来の撮像装置の一例を示す図。
【図９】従来の撮像装置の一例を示す図。
【符号の説明】
１  レンズ
２  撮像素子
３  カメラ信号処理部
４  画像記憶部
５  表示信号生成部
６  表示駆動部
７  表示部
８  制御部
９  検出スイッチ
【図１】
0003706750.tif 000002
【図２】
0003706750.tif 000003
【図３】
0003706750.tif 000004
【図４】
0003706750.tif 000005
【図５】
0003706750.tif 000006
【図６】
0003706750.tif 000007
【図７】
0003706750.tif 000008
【図８】
0003706750.tif 000009
【図９】
0003706750.tif 000010